(57)【要約】【課題】高速で安定した波長制御を行うための波長安定化装置を得る。【解決手段】温度によりレーザ光の波長変更が可能なＬＤ１０１と、ＬＤ１０１の温度を制御するペルチェ素子１０２およびペルチェドライブ回路１１０と、ＬＤ１０１の温度を検出するサーミスタ１０９と、ＬＤ１０１の発光量を第１のＰＤ電流として検出するＰＤ１（１０４）と、波長を検出するためにエタロンフィルタ１０３を通過した光を第２のＰＤ電流として検出するＰＤ２（１０５）と、ＬＤ１０１の温度を変化させながら、温度、波長および第１、第２のＰＤ電流を測定し、当該測定データを目標値としてテーブル化して予め記憶するメモリとを備え、ＣＰＵ１０７が、ＰＤ２およびＰＤ１の出力から現在の波長を演算して、メモリ内のデータと比較することにより現在位置を検知して制御を行う。【選択図】図１
2005085815.tif 000002
【特許請求の範囲】
【請求項１】
温度により出射するレーザ光の波長変更が可能な半導体レーザダイオードと、
前記半導体レーザダイオードの温度を制御するＬＤ温度調整手段と、
前記ＬＤ温度調整手段を駆動制御する駆動手段と、
前記半導体レーザダイオードの温度を検出するＬＤ温度検出手段と、
前記半導体レーザダイオードのレーザ光の発光量を第１のＰＤ電流として検出する第１のフォトダイオードと、
前記半導体レーザダイオードのレーザ光の波長を検出するためにエタロンフィルタを通過した前記レーザ光を第２のＰＤ電流として検出する第２のフォトダイオードと、
前記半導体レーザダイオードの温度を変化させることにより前記レーザ光の波長を変化させながら、前記半導体レーザダイオードの温度、波長および前記第１、第２のＰＤ電流を測定した測定データを目標値としてテーブル化して予め記憶するメモリと、
前記第２のＰＤ電流を前記第１のＰＤ電流で、電圧に変換した後に、除算することにより、前記レーザ光の波長を演算する波長演算手段と、
前記ＬＤ温度検出手段により得た前記温度および前記波長演算手段により得た前記波長がそれぞれ前記メモリ内の目標波長および目標温度に近づくように前記駆動手段に対する制御信号を出す制御手段と
を備え、
前記制御手段は、温度変化に対する前記波長演算手段により得た前記波長の変化率が大きくなればなるほど緩やかに温度制御する
ことを特徴とする波長安定化装置。
【請求項２】
前回の制御時において前記波長演算手段により得た前記波長から今回の前記波長演算手段により得た前記波長を減算した波長変化量を求める波長変化量演算手段と、
前回の制御時において前記ＬＤ温度検出手段により得た前記温度から今回の前記ＬＤ温度検出手段により得た前記温度を減算した温度変換量を求める温度変化量演算手段と、
前記波長変化量を前記温度変化量で除算した値を求め、前記メモリに記憶されている測定データに基づいて、前記温度変化量に対する波長変化量の変化の傾きの正負（増加／減少）を求めて、前記制御手段に出力する傾き確認手段と
をさらに備えたことを特徴とする請求項１に記載の波長安定化装置。
【請求項３】
前記温度変化量演算手段により得られる前記温度変化量が所定の基準値以下の場合に、通常時より波長制御時間が多くかかることを通知する警告を出力する警告出力手段をさらに備えたことを特徴とする請求項２に記載の波長安定化装置。
【発明の詳細な説明】
【技術分野】
【０００１】
この発明は波長安定化装置に関し、特に、光通信レーザダイオード（以下、ＬＤとする。）の波長を安定化させるための波長安定化装置に関する。
【背景技術】
【０００２】
光の波長は、波長が変化することにより光の通過特性が変化するエタロンフィルタを通し、フォトダイオードからなる光検出器（以下、ＰＤとする。）で検出することで確認できる。ただし、その通過減衰の周波数特性は単純ではなく、周期性を示す。当然、光検出用のＰＤ電流も同様の特性を示す。また、その一周期の間隔をＦＳＲ（自由分光領域）とよんでいる。
【０００３】
レーザ光は、エタロンフィルタの経年変化や温度変化に伴って波長が変化してしまうので、それを補償することにより、レーザ光の絶対波長を安定させてロックするための波長制御システムが従来より提案されている（特に、特許文献１参照。）。
【０００４】
また、波長制御回路としては、光バンドパスフィルタを波長弁別素子として用い、レーザ信号の波長を光バンドパスフィルタにより波長弁別可能な微調整範囲内を波長制御する波長制御回路について提案されている（特に、特許文献２参照。）。
【０００５】
なお、エタロンフィルタの特性により波長制御を行う方法としては例えば下記の様な方法がある。
１）波長制御は最初にＬＤ温度を制御し目的の波長があるＦＳＲにＬＤ温度を移動させる。
２）ＬＤ温度を微小に変化させ、そのＰＤ電流の変化（ΔＰＤ電流／ΔＬＤ温度）を確認し、ＦＳＲ内のどの位置にいるか確認する。
３）ＦＳＲの内の位置から、温度変化と波長変化の関係を確認する。
４）ＬＤ温度を制御しながら、ＰＤ電流値を検出して目的の波長にロックする。
【０００６】
【特許文献１】特開２００１−４４５５８号公報
【特許文献２】特開平１１−２５１６７３号公報
【発明の開示】
【発明が解決しようとする課題】
【０００７】
従来においては、上記のような方法で波長制御を行っていたため、下記のような問題点があった。
１）制御手順が複雑で、波長がロックするまでの制御時間が長い。
２）ペルチェ素子などの温度制御機器の能力限界点近傍では、冷却、昇温に時間を要し、ＦＳＲ内の位置が確認しにくくなり制御が不安定になる。
【０００８】
この発明は、かかる問題点を解決するためになされたものであり、高速で安定した波長制御を行うための波長安定化装置を得ることを目的としている。
【課題を解決するための手段】
【０００９】
この発明は、温度により出射するレーザ光の波長変更が可能な半導体レーザダイオードと、前記半導体レーザダイオードの温度を制御するＬＤ温度調整手段と、前記ＬＤ温度調整手段を駆動制御する駆動手段と、前記半導体レーザダイオードの温度を検出するＬＤ温度検出手段と、前記半導体レーザダイオードのレーザ光の発光量を第１のＰＤ電流として検出する第１のフォトダイオードと、前記半導体レーザダイオードのレーザ光の波長を検出するためにエタロンフィルタを通過した前記レーザ光を第２のＰＤ電流として検出する第２のフォトダイオードと、前記半導体レーザダイオードの温度を変化させることにより前記レーザ光の波長を変化させながら、前記半導体レーザダイオードの温度、波長および前記第１、第２のＰＤ電流を測定した測定データを目標値としてテーブル化して予め記憶するメモリと、前記第２のＰＤ電流を前記第１のＰＤ電流で、電圧に変換した後に、除算することにより、前記レーザ光の波長を演算する波長演算手段と、前記ＬＤ温度検出手段により得た前記温度および前記波長演算手段により得た前記波長がそれぞれ前記メモリ内の目標波長および目標温度に近づくように前記駆動手段に対する制御信号を出す制御手段とを備え、前記制御手段は、温度変化に対する前記波長演算手段により得た前記波長の変化率が大きくなればなるほど緩やかに温度制御することを特徴とする波長安定化装置である。
【発明の効果】
【００１０】
本発明によれば、調整段階で、半導体レーザダイオードの温度を変化させて波長を変化させながら、当該温度、レーザ光の波長、第１、第２のフォトダイオードで測定したＰＤ電流とを目標値としてテーブル化してメモリに保存しておき、実際の制御時には、温度とＰＤ電流とを測定してテーブルデータと比較することにより、波長の現在位置を検知して、制御を行うようにしたので、制御の手順が簡素化でき、波長がロックされるまでの制御時間を短縮することができるため、高速で安定した波長制御を行うことができる。
【発明を実施するための最良の形態】
【００１１】
実施の形態１．
図１は、本発明の実施の形態に係る波長安定化装置における、波長分割多重光通信モジュール（以下、光モジュール１００とする。）とそれに接続されたマイコン部の構成を示した図である。光モジュール１００内には、図１に示すように、温度により波長変化が可能なＬＤ（半導体レーザダイオード）１０１が設けられており、ＬＤ１０１には波長制御を行うためにＬＤ温度を制御するペルチェ素子１０２（ＬＤ温度調整手段）がとりつけられている。ペルチェ素子１０２は、ペルチェドライブ回路１１０（駆動手段）により駆動される。ＬＤ１０１から出射されたＬＤ光は、調整段階においては光ファイバ１１４に入射され、実際の制御時においては光スプリッタ１１５に入射される構成になっている。光スプリッタ１１５は、一方の出力がエタロンフィルタ１０３に接続され、他方の出力がフォトダイオード素子１（以下、ＰＤ１とする）（符号１０４）に接続されている。ＰＤ１（符号１０４）には、ＰＤ１（符号１０４）で検出した電流を電圧（Ｖｄｐ１）に変換するＰＤ１電流電圧変換回路１１１が接続されている。エタロンフィルタ１０３にはフォトダイオード素子２（以下、ＰＤ２とする。）（符号１０５）が接続され、ＰＤ２（符号１０５）には、ＰＤ２（符号１０５）で検出した電流を電圧（Ｖｄｐ２）に変換するＰＤ２電流電圧変換回路１１２が接続されている。ＬＤ１０１の近傍には温度を検知するサーミスタ１０９（ＬＤ温度検出手段）が取り付けられている。サーミスタ１０９には、ＬＤ温度を電圧（Ｔｌｄ）に変換するための温度電圧変換回路１１３が設けられている。
【００１２】
また、マイコン部１２０内にはＡＤコンバータ１０６が設けられている。ＡＤコンバータには、ＰＤ２電流電圧変換回路１１２からの出力Ｖｄｐ２と、ＰＤ１電流電圧変換回路１１１からの出力Ｖｄｐ１と、温度電圧変換回路１１３からの出力Ｔｌｄとが入力される。ＡＤコンバータ１０６は、それらをディジタル値に変換する。ディジタル値に変換されたＶｐｄ１、Ｖｐｄ２、Ｔｌｄは、ＣＰＵ１０７に取り入れられる。ＣＰＵ１０７にはＤＡコンバータ１０８が接続されており、それにより、ＣＰＵ１０７からのディジタル出力はアナログ値に変換され、当該アナログ値に基づいてペルチェ素子１０２を制御するために光モジュール１００内のペルチェドライブ回路１１０に入力される。
【００１３】
次に、動作について説明する。制御時において、ＬＤ１０１から出射されたＬＤ光は、波長検出をするため、エタロンフィルタ１０３を通し、ＰＤ２（符号１０５）で電流として検出され、ＰＤ２電流電圧変換回路１１２により、検出電流値を電圧（Ｖｐｄ２）に変換する。また、ＬＤ１０１の発光量を検出するため、ＬＤ光を直接検出するＰＤ１（符号１０４）で電流として検出され、ＰＤ１電流電圧変換回路１１１により、検出電流値を電圧（Ｖｐｄ１）に変換する。また、ＬＤ１０１の近傍にはＬＤ温度を検知するサーミスタ１０９が取り付けられ、検知されたＬＤ温度は、温度電圧変換回路１１３により、電圧（Ｔｌｄ）に変換される。Ｖｐｄ１、Ｖｐｄ２、Ｔｌｄは、ＡＤコンバータ１０６にてデジタル値に変換され、ＣＰＵ１０７に取り入れられる。ＣＰＵ１０７は、Ｖｄｐ２／Ｖｐｄ１の値を求め（波長演算手段）、当該Ｖｄｐ２／Ｖｐｄ１およびＴｌｄが、後述するメモリ内に予め保存されている目標値に近づくように制御する（制御手段）。
【００１４】
ＣＰＵ１０７の当該メモリには、図３に示すエタロン特性がディジタルデータ化されテーブルデータとして保存されている。また、ロックする波長の目標点のデータもメモリに保存されている。それらのメモリデータは、調整段階で作成される。
【００１５】
図２は調整段階での構成図である。図２と図１の対応関係を説明すれば、図２の光モジュール１００は、図１における破線で囲った符号１０１〜１０５、１０９〜１１５の構成要素からなる光モジュール１００である。また、図２のマイコン部１２０は、図１における実線で囲った符号１０６〜１０８の構成要素からなるマイコン部１２０である。光モジュール１００には、図１に示した光ファイバ１１４を介して、光波長計測器２０１が接続されている。この光波長計測器２０１は、調整段階で、波長を測定するためのものであり、実際の制御時には用いないものである。また、光波長計測器２０１およびマイコン部１２０には、パソコン２０２が接続されている。
【００１６】
図２の構成において、ＬＤ温度を低温から高温までペルチェ素子１０２を制御することにより変化させる。その際、光波長計測器２０１にて測定した波長、サーミスタ１０９にて測定したＬＤ温度、ＰＤ１（符号１０４）及びＰＤ２（符号１０５）を用いて測定したＶｐｄ１及びＶｐｄ２、および、Ｖｐｄ２／Ｖｐｄ１のそれぞれのデータを、パソコン２０２で処理しディジタルデータ化し、マイコン部１２０内のＣＰＵ１０７のメモリにテーブルデータとして保存する（図３に示すエタロンフィルタ特性をテーブル化）。その際に、ロックしたい目標値のデータも作成し、保存する。
【００１７】
また、必要に応じて、Δ波長検出用ＰＤ電流／ΔＬＤ温度も同時に計算し、テーブル化する。Δ波長検出用ＰＤ電流およびΔＬＤ温度は、いずれも、前回測定したデータから今回測定したデータを差し引いた差である（これについては、後述する。）。なお、Δ波長検出用ＰＤ電流／ΔＬＤ温度の値については、テーブル化しておかなくとも、制御時にテーブルデータから計算するようにしても良い。
【００１８】
また、恒温槽で、周囲温度を変化させた時の波長、ＬＤ温度、ＰＤ１（符号１０４）及びＰＤ２（符号１０５）を用いて測定したＶｐｄ１及びＶｐｄ２、および、Ｖｐｄ２／Ｖｐｄ１のそれぞれのデータをとり、温度変化によるエタロン特性の変移量を測定し温度によるエタロンの特性補正データをディジタルデータとして、ＣＰＵ１０７のメモリに保存する。
【００１９】
次に、波長制御動作について詳細に説明する。波長制御は、図４および図５（フローチャート１、２）に示す手順で行う。フローチャート１はＬＤ温度が目標温度Ｔｌｄｐに近づくように温度のみのファクターでラフに制御する手順であり、フローチャート１で所定の条件（ステップＳ４の条件）を満たした場合に、フローチャート２に進んで詳細な波長制御に移り、さらに目標値に近づくようにＬＤ温度を制御する。すなわち、ＤＡコンバータ１０８から制御電圧を出力し、ペルチェドライブ回路１１０で電流に変換し、それに基づいて、ペルチェ素子１０２を制御して、ＬＤ１０１を所望の温度の近傍になるよう制御する。
【００２０】
はじめに、フローチャート１の手順について説明する。
まず、ステップＳ１で、上述のようにしてサーミスタ１０９により検知したＬＤ温度を電圧（Ｔｌｄ）に変換した後に、ＡＤコンバータ１０６で、ディジタル値に変換する。
【００２１】
次に、ステップＳ２で、上述のようにしてＰＤ２（符号１０５）およびＰＤ１（符号１０４）により電流として検知したＬＤ光を電圧（Ｖｐｄ２、Ｖｐｄ１）に変換した後に、ＡＤコンバータ１０６で、ディジタル値に変換する。次に、ＣＰＵ１０７が、Ｖｐｄ２／Ｖｐｄ１を計算して求める。これは、波長に関する信号はＶｐｄ２であるが、そのデータは波長だけでなくＬＤの発光量にも比例するため、ＬＤの発光量のファクターを除去するため、Ｖｐｄ１で除算するものである。
【００２２】
次に、ステップ３で、ＣＰＵ１０７のメモリ内のテーブルから、温度の目標値のＴｌｄｐと、（Ｖｐｄ２／Ｖｐｄ１）の目標値Ｖｐｄｐとを読み出す。
【００２３】
次に、ステップＳ４で、ステップＳ１で求めたＴｌｄと温度の目標値Ｔｌｄｐとの差の絶対値が、所定の基準値１より小さいか否かを判定する。所定の基準値より大きかった場合には、ステップＳ５に進む。一方、所定の基準値１より小さかった場合には、ステップＳ１における温度のみによるラフな制御が終了したとして、フローチャート２へ進み、詳細な制御に移る。フローチャート２については後述する。
【００２４】
次に、ステップＳ５において、ステップＳ１で求めたＴｌｄから温度の目標値Ｔｌｄｐを減算した値が０より小さいか否かを判定する。０より小さい場合には、目標値Ｔｌｄｐより低い温度のときであるため、ステップＳ７に進んで、ＣＰＵ１０７が、ＤＡコンバータ１０８を介して、ペルチェドライブ回路１１０に対して、ペルチェ素子１０２の温度を上げるような制御信号を出力して、ステップＳ８に進む。一方、０以上の場合には、目標値Ｔｌｄｐより高い温度のときであるため、ステップＳ６に進んで、ＣＰＵ１０７が、ＤＡコンバータ１０８を介して、ペルチェドライブ回路１１０に対して、ペルチェ素子１０２の温度を下げるような制御信号を出力して、ステップＳ８に進む。
【００２５】
次に、ステップＳ８で、ステップＳ１およびＳ２と同様の方法で、ＴｌｄとＶｐｄ２／Ｖｐｄ１との値を再度確認し、前回確認したデータとの誤差を下記の式により求める。
ΔＴｌｄ＝Ｔｌｄ（１）−Ｔｌｄ（２）
Δ（Ｖｐｄ２／Ｖｐｄ１）＝（Ｖｐｄ２／Ｖｐｄ１）（１）−（Ｖｐｄ２／Ｖｐｄ１）（２）
（１）：前回確認したデータ（但し、１回目はステップＳ１およびＳ２のデータ、２回目以降は、ステップＳ８の前回のデータとする。）
（２）：ステップＳ８で今回確認したデータ
【００２６】
次に、ステップＳ９で、ステップＳ８で求めたΔＴｌｄの絶対値が所定の基準値より大きいか否かを判定する。
【００２７】
基準値より小さい場合、すなわち、単位時間当りの温度変化（Ｔｌｄ／ｔ）が基準値以下になればペルチェの温度制御限界点近傍と判断し、ステップＳ１０において、波長制御時間が多くかかることを外部にアラームとして派出した（メッセージ画面表示及び／またはアラーム音発生）後に、ステップＳ１１に進む。一方、基準値より大きい場合は、そのまま、ステップＳ１１に進む。
【００２８】
次に、ステップＳ１１で、Ｖｐｄ２／ＶｐｄとＴｌｄとをＣＰＵ１０７のメモリ内のデータと照合し、現在の波長及びエタロン特性につき、トレースしたデータ内における位置を確認する。
【００２９】
次に、ステップＳ１２で、“Δ（Ｖｐｄ２／Ｖｐｄ１）／ΔＴｌｄ”（エタロン特性の傾き）を演算し、温度変化量に対する波長変化量の変化の傾きの正負（増加方向／減少方向）を求め、それをテーブルデータから求めた傾きとも比較して、位置認識の精度を向上させる（図３に示すよう、エタロン特性のピーク近辺では、ａ点、ｂ点間で温度が近い上Ｖｐｄ２／Ｖｐｄ１データが等しくなるため位置を誤認する可能性がある）。
【００３０】
次に、ステップＳ４に戻る。ステップＳ４の処理は上述の通りであるので、ここでは、所定の基準値１より小さかった場合について説明する。この場合には、ステップＳ１におけるラフな制御が終了したとして、フローチャート２へ進み、詳細な制御に移る。次に、図５を用いて、フローチャート２について説明する。
【００３１】
詳細に温度を制御する際は、図３からも分かるように、温度に対して、Ｖｐｄ２／Ｖｐｄ１の変化の傾きが異なるので、急変する場合は、通常の制御速度よりも緩やかに温度変化させて制御を安定させる。温度に対する傾きは、ステップＳ１２またはステップＳ２２で求めているΔ（Ｖｐｄ２／Ｖｐｄ１）／ΔＴｌｄを利用する。
【００３２】
フローチャート２においては、まず、ステップＳ２０で、上述のステップＳ１およびＳ２と同様の方法で、再度、ＴｌｄとＶｐｄ２／Ｖｐｄ１とを測定し、前回確認したデータとの誤差を下記の式により求める。
ΔＴｌｄ＝Ｔｌｄ（１）−Ｔｌｄ（２）
Δ（Ｖｐｄ２／Ｖｐｄ１）＝（Ｖｐｄ２／Ｖｐｄ１）（１）−（Ｖｐｄ２／Ｖｐｄ１）（２）
（１）：前回確認したデータ（但し、１回目はステップＳ８のデータ、２回目以降は、ステップＳ２０の前回のデータとする。）
（２）：ステップＳ２０で今回確認したデータ
【００３３】
次に、ステップＳ２１で、Ｖｐｄ２／Ｖｐｄ１およびＴｌｄとメモリ内のデータとを照合し、現在の波長及びエタロン特性についてトレースしたデータ内の位置を確認する。
【００３４】
次に、ステップＳ２２で、“Δ（Ｖｐｄ２／Ｖｐｄ１）／ΔＴｌｄ”（エタロン特性の傾き）を演算し、温度変化量に対する波長変化量の変化の傾きの正負（増加方向／減少方向）を求め、それをテーブルデータから求めた傾きとも比較して、位置認識の精度を向上させる（図３に示すように、エタロン特性のピーク近辺では、ａ点およびｂ点間では、温度が近いうえに、Ｖｐｄ２／Ｖｐｄ１のデータが等しくなるため、位置を誤認する可能性がある）。
【００３５】
次に、ステップＳ２３で、現在位置と目標位置とを比較し、目標位置（Ｖｐｄｐ）にＶｐｄ２／Ｖｐｄ１が近づくように、ペルチャ素子１０２を制御するべく、ＣＰＵ１０７はペルチャ素子ドライブ回路１１０に制御信号を送信する。その際に、Δ（Ｖｐｄ２／Ｖｐｄ１）／ΔＴｌｄが大きくなればなるほど緩やかに温度制御できるようにペルチャ素子を制御する。
【００３６】
次に、ステップＳ２４で、ＴｌｄとＴｌｄｐとの誤差及びＶｐｄ２／Ｖｐｄ１とＶｐｄｐとの誤差（の少なくともいずれか一方）の絶対値が基準値より小さいかどうかを確認し、基準値以上ならば、ステップＳ２０〜ステップＳ２３を繰り返す。一方、基準値より小さい場合には、波長制御を完了する。
【００３７】
以上のように、本実施の形態によれば、ＣＰＵ１０７のメモリ内に標準測定系で測定した波長、エタロンフィルタを通した波長検出用ＰＤ電流およびＬＤ温度をディジタルデータとしてテーブル化しておき、実際の波長制御時は、ＬＤ温度および波長検出用ＰＤ電流値を検出して、その２つのデータとテーブルデータとを照合することで、現時点でのＬＤ発光波長が特定でき、目標波長との誤差を明確に検知することができる。検知後は、目標波長になるＬＤ温度に向けペルチェ素子で制御する。その際、温度変化に対する波長の変化率が大きくなればなるほど緩やかに温度制御し、制御を安定させるようにしたので、目標値までスムーズに、かつ、高速に、安定した波長制御を行うことが可能となる。また、ペルチェ素子などの温度制御機器の能力限界点近傍でも、現在の波長とエタロン特性上の位置がはっきりしているため安定した制御が可能になる。
【００３８】
また、エタロンの特性で作成したテーブルから、現在の波長を求める場合、ＬＤ温度や波長検出用ＰＤ電流だけでなく、（Δ波長検出用ＰＤ電流／ΔＬＤ温度）をもとめ、テーブルデータから求めた、或いは、テーブルデータ化されている（Δ波長検出用ＰＤ電流／ΔＬＤ温度）と照合し、波長の制御精度を上げるようにしたので、図３のａ、ｂ点からも分かる様に温度（波長）変化が少なく、Ｖｐｄ２／Ｖｐｄ１が等しい場合、波長の確認が難しくなる場合においても、傾き（Δ波長検出用ＰＤ電量値／ΔＬＤ温度）をもとめることにより、波長の確認精度を上げる事ができる。
【００３９】
また、ペルチェ素子への電流量に対しΔＬＤ温度／Δ時間を測定し、温度の時間変化量が基準値以下になれば、温度制御の限界点と近傍と判断し、その場合、通常より温度の安定時間が多くかかると判断しその情報を外部にアラームとして派出するようにしたので、波長が安定するまでに通常より時間を要することを外部に通知することで、従来では時間オーバで波長制御できないと判断していたものについても、制御可能となり、利用可能な波長領域を増やすことが出来る。
【図面の簡単な説明】
【００４０】
【図１】本発明の実施の形態１に係る波長制御時における波長安定化装置の光モジュールとマイコン部との構成を示したブロック図である。
【図２】本発明の実施の形態１に係る波長安定化装置における調整段階の全体の構成を示したブロック図である。
【図３】本発明の実施の形態１に係る波長安定化装置のエタロン特性を示した説明図である。
【図４】本発明の実施の形態１に係る波長安定化装置の波長制御の処理の流れを示した流れ図である。
【図５】本発明の実施の形態１に係る波長安定化装置の波長制御の処理の流れを示した流れ図である。
【符号の説明】
【００４１】
１００  光モジュール、１０１  ＬＤ、１０２  ペルチェ素子、１０３  エタロンフィルタ、１０４  ＰＤ１、１０５  ＰＤ２、１０６  ＡＤコンバータ、１０７  ＣＰＵ、１０８  ＤＡコンバータ、１０９  サーミスタ、１１０  ペルチェドライブ回路、１１１  ＰＤ１電流電圧変換回路、１１２  ＰＤ２電流電圧変換回路、１１３  温度電圧変換回路、１１４  光ファイバ、１１５  光スプリッタ、１２０  マイコン部、２０１  光波長計測器、２０２  パソコン。
【図１】
2005085815.tif 000003
【図２】
2005085815.tif 000004
【図３】
2005085815.tif 000005
【図４】
2005085815.tif 000006
【図５】
2005085815.tif 000007